(57)【要約】      （修正有）【課題】ユーザーがより適切な医療レポートを作成することを補助する。【解決手段】医療情報システムにおいて、プロセッサーは、クライアント装置に第１一時領域と関連付けられる第１入力範囲と第２一時領域と関連付けられる第２入力範囲とを有する第１医療レポートテンプレートを表示させ、第１入力範囲に入力された第１内容を受け付けて、第２入力範囲に入力された第２内容を受け付け、第１内容を第１一時領域に記憶し、第２内容を第２一時領域に記憶し、クライアント装置に第１医療レポートテンプレートの表示から第１一時領域に関連付けられた第３入力範囲と、第３一時領域に関連付けられた第４入力範囲と、を有する第２医療レポートテンプレートの表示へ切り替えさせ、第１一時領域が第１内容を含む場合、第１内容を第１一時領域から読み出し、第３入力範囲に表示する、。【選択図】図５
2020115326.tif 000002
【特許請求の範囲】
【請求項１】
第１一時領域と、第２一時領域と、第３一時領域とを含む記憶部と、
プロセッサーと、を備え
プロセッサーは、
クライアント装置に前記第１一時領域と関連付けられる第１入力範囲と前記第２一時領域と関連付けられる第２入力範囲とを有する第１医療レポートテンプレートを表示させ、
表示された前記第１医療レポートテンプレート上で、前記第１入力範囲に入力された第１内容を受け付けて、前記第２入力範囲に入力された第２内容を受け付け、
前記第１内容を前記第１一時領域に記憶し、前記第２内容を前記第２一時領域に記憶し、
前記クライアント装置に前記第１医療レポートテンプレートの表示から前記第１一時領域に関連付けられた第３入力範囲と前記第３一時領域に関連付けられた第４入力範囲とを有する第２医療レポートテンプレートの表示へ切り替えさせ、
前記第２医療レポートテンプレートが表示された際に、前記第２医療レポートテンプレートの第３入力範囲に関連付けられた前記第１一時領域が前記１内容を含むか確認し、
前記第１一時領域が前記第１内容を含む場合、前記第１内容を前記第１一時領域から読み出し、前記第３入力範囲に表示する、
医療情報装置。
【請求項２】
前記プロセッサーは、
前記第２医療レポートテンプレートが表示された場合、前記第２一時領域が前記第２医療レポートテンプレートのいずれの入力範囲と関連付けられていないかを確認し、
前記第２一時領域が前記第２医療レポートテンプレートのいずれの入力範囲と関連付けられていないと確認した場合、前記第２一時領域に含まれる前記第２内容が削除される、
請求項１に記載の医療情報装置。
【請求項３】
前記プロセッサーは、
前記第２医療レポートテンプレートが表示された場合、前記第２医療レポートテンプレートの前記第４入力範囲と関連付けられている前記第３一時領域が第３内容を含むかを確認し、
前記第３一時領域が前記第３内容を含む場合、前記第３一時領域から前記第３内容を読み出して、前記第４入力範囲に表示する、
請求項１に記載の医療情報装置。
【請求項４】
前記プロセッサーは、
前記クライアント装置に前記第２医療レポートテンプレートの表示から、前記第２一時領域と関連付けられる第５入力範囲と、前記第３一時領域と関連付けられる第６入力範囲とを有する第３医療レポートテンプレートの表示へ切り替え、
前記第２一時領域が前記第２内容を含む場合、前記第２内容を前記第２一時領域から読み出して前記第５入力範囲に表示し、
前記第３一時領域が第３内容を含む場合、前記第３一時領域から前記第３内容を読み出して前記第６入力範囲に表示する、
請求項１に記載の医療情報装置。
【請求項５】
前記第１一時領域、前記第２一時領域、及び前記第３一時領域に含まれるそれぞれの内容はいったん医療レポートが発行されると削除される、
請求項１に記載の医療情報装置。
【請求項６】
前記記憶部は、第１参照領域、第２参照領域、及び第３参照領域を有し、
前記第１参照領域、前記第２参照領域、及び前記第３参照領域のそれぞれが、
医療コードシステム数値と、
前記医療コードシステム数値により識別される医療コードシステムにおいて定義される医療コード数値と、
前記医療コード数値をテキスト形式で説明する医療コード説明と、を有し、
前記第１参照領域、前記第２参照領域、及び前記第３参照領域は、それぞれ前記第１一時領域、前記第２一時領域、及び前記第３一時領域に関連付けられる、
請求項１に記載の医療情報装置。
【請求項７】
前記プロセッサーは、入力が完了したとの指示を受け取った場合、前記プロセッサーは医療レポートファイルを作成し、
医療レポートにおける前記第１内容、前記第２内容、及び第３内容のそれぞれが、
前記医療コードシステム数値と、
前記医療コード数値と、
前記医療コード説明と、を含む、
請求項６に記載の医療情報装置。
【請求項８】
少なくとも一つの前記第１内容、前記第２内容、及び第３内容は、医療画像サーバーに記憶される医療画像へのリンクとして記憶される前記医療画像である、請求項１に記載の医療情報装置。
【請求項９】
請求項１に記載の医療情報装置と、
前記医療情報装置から受信した情報に基づいて表示を行うクライアント装置と、
を備える医療情報システム。
【請求項１０】
記憶部の第１一時領域と関連付けられる第１入力範囲と前記記憶部の第２一時領域と関連付けられる第２入力範囲とを有する第１医療レポートテンプレートを表示し、
表示された前記第１医療レポートテンプレート上で、前記第１入力範囲に入力された第１内容を受け付けて、前記第２入力範囲に入力された第２内容を受け付け、
前記第１内容を前記第１一時領域に記憶し、前記第２内容を前記第２一時領域に記憶し、
クライアント装置に前記第１医療レポートテンプレートの表示から前記第１一時領域に関連付けられた第３入力範囲と前記第３一時領域に関連付けられた第４入力範囲とを有する第２医療レポートテンプレートの表示へ切り替えさせ、
前記第２医療レポートテンプレートが表示された際に、前記第２医療レポートテンプレートの第３入力範囲に関連付けられた前記第１一時領域が前記１内容を含むか確認し、
前記第１一時領域が前記第１内容を含む場合、前記第１内容を前記第１一時領域から読み出し、前記第３入力範囲に表示する、
医療情報の処理方法。
【発明の詳細な説明】
【背景技術】
【０００１】
医療画像及びその他の医療データを含む電子医療記録は患者の診断において重要な役割を担う。医療施設（例えば病院等）では、医療記録を電子的に記憶することの利点が理解されるようになった。医療画像及びその他のデータを電子化することによって、ユーザーが容易に医療画像や医療データにアクセスできるようになるだけでなく、これらの画像及びデータが複数の医療施設において容易に共用できるようになる。
【０００２】
医療業界において、医療画像及びレポートを利便性が高くなるように記録し、アクセスできるようにするため、ＰＡＣＳ（ＰｉｃｔｕｒｅＡｒｃｈｉｖｉｎｇａｎｄＣｏｍｍｕｎｉｃａｔｉｏｎｓＳｙｓｔｅｍ、医療用画像システム）として知られるシステムを用いることが人気となりつつある。一般に、ＰＡＣＳは協働して動作する複数の装置によって構成され、ＣＴ、ＭＲＩ、ＰＥＴ、超音波、Ｘ線などの様々な撮影モダリティーによって生成される医療画像を電子的に、撮影、記録、管理、配布及び表示する。ＰＡＣＳを用いることによって、内外で撮影又は作成されたあらゆる種類の画像及びレポートを様々な医療施設にわたって共用することができる。
【０００３】
通常、これらの医療画像にもとづく医療レポートはコンピューターに記憶される複数の医療レポートテンプレートから選択された医療レポートテンプレートを用いて作成される。医療レポートを作成する際、医療レポート作成者は最初に選択した医療レポートテンプレートの表示から別の医療レポートテンプレートの表示に切り替えることがある。これは病気の他の原因の可能性に気付いた場合や、医療画像に対する見解を変えた場合等に起こる。医療レポートテンプレートを切り替える場合、ユーザーは新しい医療レポートテンプレートに基づいて始めから医療レポートを作成する必要がある。このように再び最初からレポートを作成する処理は負担となり、また、ユーザーが誤った処理を行う可能性が高まり、これにより、直前の医療レポートテンプレートに基づいて作成されたレポートに記載された重要な情報が失われうる。
【発明の概要】
【発明が解決しようとする課題】
【０００４】
本発明の一以上の実施形態によれば、ユーザーがより適切な医療レポートを作成することを補助する、医療情報装置、医療情報システム及び医療情報処理方法が提供される。
【課題を解決するための手段】
【０００５】
本発明の一以上の実施形態によれば、医療情報装置は、第１一時領域と、第２一時領域と、第３一時領域とを含む記憶部と、プロセッサーと、を備えプロセッサーは、クライアント装置に前記第１一時領域と関連付けられる第１入力範囲と前記第２一時領域と関連付けられる第２入力範囲とを有する第１医療レポートテンプレートを表示させ、表示された前記第１医療レポートテンプレート上で、前記第１入力範囲に入力された第１内容を受け付けて、前記第２入力範囲に入力された第２内容を受け付け、前記第１内容を前記第１一時領域に記憶し、前記第２内容を前記第２一時領域に記憶し、前記クライアント装置に前記第１医療レポートテンプレートの表示から前記第１一時領域に関連付けられた第３入力範囲と前記第３一時領域に関連付けられた第４入力範囲とを有する第２医療レポートテンプレートの表示へ切り替えさせ、前記第２医療レポートテンプレートが表示された際に、前記第２医療レポートテンプレートの第３入力範囲に関連付けられた前記第１一時領域が前記１内容を含むか確認し、前記第１一時領域が前記第１内容を含む場合、前記第１内容を前記第１一時領域から読み出し、前記第３入力範囲に表示する。
【０００６】
前記プロセッサーは、前記第２医療レポートテンプレートが表示された場合、前記第２一時領域が前記第２医療レポートテンプレートのいずれの入力範囲と関連付けられていないかを確認し、前記第２一時領域が前記第２医療レポートテンプレートのいずれの入力範囲と関連付けられていないと確認した場合、前記第２一時領域に含まれる前記第２内容が削除される。
【０００７】
前記プロセッサーは、前記第２医療レポートテンプレートが表示された場合、前記第２医療レポートテンプレートの前記第４入力範囲と関連付けられている前記第３一時領域が第３内容を含むかを確認し、前記第３一時領域が前記第３内容を含む場合、前記第３一時領域から前記第３内容を読み出して、前記第４入力範囲に表示する。
【０００８】
前記プロセッサーは、前記クライアント装置に前記第２医療レポートテンプレートの表示から、前記第２一時領域と関連付けられる第５入力範囲と、前記第３一時領域と関連付けられる第６入力範囲とを有する第３医療レポートテンプレートの表示へ切り替え、前記第２一時領域が前記第２内容を含む場合、前記第２内容を前記第２一時領域から読み出して前記第５入力範囲に表示し、前記第３一時領域が第３内容を含む場合、前記第３一時領域から前記第３内容を読み出して前記第６入力範囲に表示する。
【０００９】
前記第１一時領域、前記第２一時領域、及び前記第３一時領域に含まれるそれぞれの内容はいったん医療レポートが発行されると削除される。
【００１０】
前記記憶部は、第１参照領域、第２参照領域、及び第３参照領域を有し、前記第１参照領域、前記第２参照領域、及び前記第３参照領域のそれぞれが、医療コードシステム数値と、前記医療コードシステム数値により識別される医療コードシステムにおいて定義される医療コード数値と、前記医療コード数値をテキスト形式で説明する医療コード説明と、を有し、前記第１参照領域、前記第２参照領域、及び前記第３参照領域は、それぞれ前記第１一時領域、前記第２一時領域、及び前記第３一時領域に関連付けられる。
【００１１】
前記プロセッサーは、入力が完了したとの指示を受け取った場合、前記プロセッサーは医療レポートファイルを作成し、医療レポートにおける前記第１内容、前記第２内容、及び第３内容のそれぞれが、前記医療コードシステム数値と、前記医療コード数値と、前記医療コード説明と、を含む。
【００１２】
少なくとも一つの前記第１内容、前記第２内容、及び第３内容は、医療画像サーバーに記憶される医療画像へのリンクとして記憶される前記医療画像である。
【００１３】
一以上の実施形態によれば、医療情報システムは、上述の実施形態にもとづく医療情報装置と、前記医療情報装置から受信した情報に基づいて表示を行うクライアント装置と、を備える。
【００１４】
一以上の実施形態によれば、医療情報の処理方法は、記憶部の第１一時領域と関連付けられる第１入力範囲と前記記憶部の第２一時領域と関連付けられる第２入力範囲とを有する第１医療レポートテンプレートを表示し、表示された前記第１医療レポートテンプレート上で、前記第１入力範囲に入力された第１内容を受け付けて、前記第２入力範囲に入力された第２内容を受け付け、前記第１内容を前記第１一時領域に記憶し、前記第２内容を前記第２一時領域に記憶し、クライアント装置に前記第１医療レポートテンプレートの表示から前記第１一時領域に関連付けられた第３入力範囲と前記第３一時領域に関連付けられた第４入力範囲とを有する第２医療レポートテンプレートの表示へ切り替えさせ、前記第２医療レポートテンプレートが表示された際に、前記第２医療レポートテンプレートの第３入力範囲に関連付けられた前記第１一時領域が前記１内容を含むか確認し、前記第１一時領域が前記第１内容を含む場合、前記第１内容を前記第１一時領域から読み出し、前記第３入力範囲に表示する。
【図面の簡単な説明】
【００１５】
【図１】図１は一以上の実施形態における医療情報システムを示す。
【図２】図２は一以上の実施形態における医療情報装置のハードウェアを示す。
【図３】図３は一以上の実施形態における医療情報装置の記憶部の記憶領域を示す。
【図４】図４は記憶部の参照領域の例示的な構成を示す。
【図５】図５は一以上の実施形態における医療情報システムのシーケンスを示す。
【図６】図６はクライアント装置の表示装置に表示される画面画像の一例を示す。
【図７】図７はクライアント装置の表示装置に表示される画面画像の一例を示す。
【図８】図８はクライアント装置の表示装置に表示される画面画像の一例を示す。
【図９】図９は一以上の実施形態における医療情報装置のテンプレートチェック処理に関するフローチャートを示す。
【図１０】図１０はクライアント装置の表示装置に表示される画面画像の一例を示す。
【図１１】図１１はクライアント装置の表示装置に表示される画面画像の一例を示す。
【図１２】図１２はレポート領域の例示的な構成を示す。
【図１３】図１３は一以上の実施形態における医療情報装置の改良されたテンプレートチェック処理に関するフローチャートを示す。
【図１４】図１４は一以上の実施形態における医療情報システムのシーケンスを示す。
【図１５】図１５は一以上の実施形態におけるネットワークを用いない医療情報装置の別の活用法を示す。
【発明を実施するための形態】
【００１６】
図面を参照しながら本発明における実施形態について詳細に説明する。一貫性を保つため、図面における同じ要素には同じ符号が付される。
【００１７】
以下に説明する本発明の実施形態においては、本発明の理解を深めるためにいくつかの具体的な説明がなされる。しかし、これらの具体的な説明がなくとも本発明を実施することが可能であることは同業者にとって明らかである。また、説明が不必要に複雑になることを避けるため、公知の特徴については詳細な説明がなされていない。
【００１８】
［医療情報システム］
図１は一以上の実施形態における医療情報システム１を示す。図１に示すように、医療情報システム１は医療情報装置１００及び表示クライアント装置２１０を備え、クライアント装置２１０は医療情報装置１００から受信する情報に基づいて表示装置（図示略）に画面画像を表示する。医療情報システム１はさらに、医療画像サーバー２０６、及び医療撮影装置２０４を備えうる。
ユーザーはクライアント装置２１０を操作してネットワーク１７０を介して医療情報装置１００にアクセスし、医療レポートを作成する。クライアント装置２１０の表示装置としてＬＣＤ（液晶表示）ディスプレイ、ＯＬＥＤ（有機発光ダイオード）ディスプレイ、ＣＲＴ（ブラウン管）ディスプレイ、又は投影型のディスプレイを用いうる。
【００１９】
医療撮影装置２０４はＣＴ、ＭＲＩ、ＰＥＴ、超音波、Ｘ線等による画像を撮影することができる機器を含みうる。医療撮影装置２０４は撮影された画像を医療画像サーバー２０６へ送信し、撮影された画像を記憶する。医療画像サーバー２０６に記憶される医療画像は固有識別コードによって識別されうる。固有識別コードを用いることによって表示クライアント装置２１０上の医療レポートの一部として医療画像サーバー２０６に記憶される医療画像の参照又は読み出しをすることができる。
【００２０】
［医療情報装置］
図２は一以上の実施形態における医療情報装置１００のハードウェアを示す。図２に示すように、医療情報装置１００は、記憶部３００、ＣＰＵ（中央処理装置）１２１、揮発性メモリー１２２、不揮発性メモリー１２４、通信インターフェース１２３を備える情報処理装置である。記憶部３００は、例えばハードディスクやフラッシュメモリーなどの不揮発性メモリーであり、医療レポートを記憶しうる。揮発性メモリー１２２として例えばＲＡＭ（ランダムアクセスメモリー）やキャッシュメモリー等があげられる。不揮発性メモリー１２４として例えばＲＯＭ（リードオンリーメモリー）、フラッシュメモリー又はハードディスク等があげられる。通信インターフェース１２３は例えばクライアント装置２１０等の他の装置との通信を行うためにネットワーク１７０に接続する。後述の説明において、ＣＰＵ１２１、揮発性メモリー１２２、不揮発性メモリー及び通信インターフェース１２３はまとめてプロセッサー１２０と称する。しかし、プロセッサー１２０はＣＰＵ１２１のみを含む場合やＣＰＵ１２１並びに揮発性メモリー１２２、不揮発性メモリー及び通信インターフェース１２３のうちの一つ以上を含む場合がある。
【００２１】
図３は一以上の実施形態における医療情報装置１００の記憶部３００における記憶領域を示す。記憶部３００は内容記憶部３０１及び参照記憶部３０２を含む。内容記憶部３０１は第１一時領域Ｔ１、第２一時領域Ｔ２、及び第３一時領域Ｔ３等の一時領域３１０を有する。参照記憶部３０２は第１医療テンプレートＰ１、第２医療テンプレートＰ２、及び第３医療テンプレートＰ３を有する。参照記憶部３０２は任意の数の医療テンプレートを有しうる。ユーザーは参照記憶部３０２に記憶される医療テンプレートの中から適切な医療テンプレートを選択し、医療画像に基づく情報を入力しうる。第１医療テンプレートＰ１、第２医療テンプレートＰ２、第３医療テンプレートＰ３等のそれぞれの医療テンプレートは第１参照領域Ｒ１、第２参照領域Ｒ２、及び第３参照領域Ｒ３等の参照領域３２０を有しうる。具体的には、例えば、第１医療テンプレートＰ１は第１参照領域Ｒ１及び第２参照領域Ｒ２を有する。第２医療テンプレートＰ２は第１参照領域Ｒ１及び第３参照領域Ｒ３を有する。第３医療テンプレートＰ３は第２参照領域Ｒ２及び第３参照領域Ｒ３を有する。第１参照領域Ｒ１、第２参照領域Ｒ２、及び第３参照領域Ｒ３はそれぞれ第１一時領域Ｔ１、第２一時領域Ｔ２、及び第３一時領域Ｔ３と対応付けられる。よって、一時領域はそれぞれ対応する参照領域に記憶される情報によって識別することができる。記憶部３００はさらに完成された医療レポートを記憶するレポート領域３３０をさらに有する。図３において内容記憶部３０１は不揮発性記憶部としての記憶部３００に存在するが、内容記憶部３０１はＲＡＭ等の揮発性記憶部にも存在しうる。
【００２２】
図４は記憶部３００における参照領域３２０の例示的な構成を示す。それぞれの第１参照領域Ｒ１、第２参照領域Ｒ２、及び第３参照領域Ｒ３は情報種類３２１、キャプション３２２、医療コードシステム数値３２３、医療コード数値３２４、及び医療コード説明３２５を含む。情報種類３２１は、レポートが完成した後に一時領域３１０に記憶される内容がどのように表示されるかに関連しうる。つまり、情報種類３２１として「数字」、「画像」、「テキスト」、「ラジオボタン」、又は「コンボボックス」等があげられる。キャプション３２２は医療レポートが表示される際に内容とともに表示される。医療コード数値３２４は一時領域３１０に記憶される内容と対応し、医療コードシステム数値３２３によって医療コードシステム上で識別される。医療コードシステムは公的に一般的に定義されるシステムか、ユーザーや医療施設において私的に定義されるシステムである。医療コード説明３２５は医療コード数値３２４が何を示すかを説明するテキストデータとすることができ、内容とともに表示することができる。
【００２３】
［医療情報システムの動作］
図５は一以上の実施形態における医療情報システム１のシーケンスを示す。シーケンスに示されるように、ユーザーの操作により、まずクライアント装置２１０は、第１医療レポートテンプレートＰ１が選択されたことを医療情報装置１００のプロセッサー１２０へ送信する（ステップＳ１０１）。第１医療レポートテンプレートＰ１が選択されたことをプロセッサー１２０が受け付けると、プロセッサー１２０は第１医療レポートテンプレートＰ１を参照記憶部３０２から読み出し、クライアント装置２１０へ第１医療レポートテンプレートを送信して表示する（ステップＳ１０２）。第１医療レポートテンプレートＰ１を受信したクライアント装置２１０はクライアント装置２１０の表示装置に第１医療レポートテンプレートＰ１を表示する。図面では、紙面の都合上、「医療レポートテンプレート」は単に「テンプレート」と記載される。
【００２４】
図６はクライアント装置２１０の表示装置に表示される第１医療レポートテンプレートＰ１の画面画像を示す。上述のように、第１医療テンプレートＰ１は第１参照領域Ｒ１及び第２参照領域Ｒ２を有する。図６に示すように、第１医療レポートテンプレートＰ１の第１参照領域Ｒ１は第１一時領域Ｔ１と関連付けられた第１入力範囲４１１を有しうる。第１医療レポートテンプレートＰ１の第２参照領域Ｒ２は第２一時領域Ｔ２と関連付けられた第２入力領域４１２を有しうる。画像入力範囲４１３は医療画像の入力に用いうる。医療画像は医療画像サーバー２０６に記憶される医療画像のリンクとして記憶部３００に記憶しうる。よって、医療情報装置１００は医療画像を含む医療レポートを作成するために用いることができる。
【００２５】
図６に示すように画像入力範囲４１３に医療画像を挿入しうる。一方、一以上の実施形態において、画像を内容として挿入するのに第１入力範囲４１１や第２入力範囲４１２等のその他の入力範囲を用いることができる。つまり、第１内容及び第２内容のうちの少なくとも一つとして医療画像サーバー２０６に記憶される医療画像のリンクとして記憶される医療画像を用いることができる。この場合、医療情報装置１００を用いて医療画像を含む医療レポートを作成することができる。
【００２６】
再び図５を参照して、ユーザーが第１入力範囲４１１に第１内容を入力し、第２入力範囲４１２に第２内容を入力した場合、クライアント装置２１０は第１入力範囲４１１に第１内容を表示し、第２入力範囲４１２に第２内容を表示する（ステップＳ１０４）。図７は、第１内容及び第２内容がそれぞれ第１入力範囲４１１及び第２入力範囲４１２に表示される場合の第１医療レポートテンプレートＰ１の画面画像を示す。
【００２７】
再び図５を参照して、クライアント装置２１０のユーザーが第１医療レポートテンプレートＰ１の表示から第２医療レポートテンプレートＰ２の表示へ切り替えることを要求した場合（ステップＳ１０５）、クライアント装置２１０は第１内容及び第２内容を医療情報装置１００のプロセッサー１２０へ送信する（ステップＳ１０６）。プロセッサー１２０が第１医療レポートテンプレートＰ１において第１入力範囲４１１で第１内容を受け取り、第２入力範囲４１２で第２内容を受け取った場合、プロセッサー１２０は第１内容を記憶部３００の第１一時領域Ｔ１に記憶し（ステップＳ１０７）、第２内容を記憶部３００の第２一時領域Ｔ２に記憶する（ステップＳ１０８）。
【００２８】
プロセッサー１２０は参照記憶部３０２から第２医療レポートテンプレートＰ２を読み出し、第２医療レポートテンプレートＰ２を送信して、クライアント装置２１０の表示装置上で、第１医療レポートテンプレートＰ１の表示から第２医療レポートテンプレートＰ２の表示へ切り替える（ステップＳ１０９）。クライアント装置２１０が第２医療レポートテンプレートＰ２を受信した場合、クライアント装置２１０は第２医療レポートテンプレートＰ２を表示装置上に表示する（ステップＳ１１１）。
【００２９】
図８は第２医療レポートテンプレートＰ２の画面画像を示す。上述のように、第２医療テンプレートＰ２は第１参照領域Ｒ１及び第３参照領域Ｒ３を含む。第２医療レポートテンプレートＰ２の第１参照領域Ｒ１は第１一時領域Ｔ１に関連付けられた第３入力範囲４２１を含む。第２医療レポートテンプレートＰ２の第３参照領域Ｒ３は第３一時領域Ｔ３に関連付けられた第４入力範囲４２２を有しうる。第２医療レポートテンプレートＰ２を送信した後に、医療情報装置１００のプロセッサー１２０はテンプレートチェック処理Ｓ２００を実行する。
【００３０】
図９は一以上の実施形態における医療情報装置１００のテンプレートチェック処理Ｓ２００に関するフローチャートを示す。図９に示すように、まずプロセッサー１２０は新たな医療レポートテンプレートの入力範囲を指定する、例えば第２医療レポートテンプレートＰ２の第３入力範囲４２１（ステップＳ２０１）。次に、プロセッサー１２０は指定された入力範囲と関連付けられた一時領域に内容が含まれるかを確認する。つまり、プロセッサー１２０は第２医療レポートテンプレートＰ２の第３入力範囲４２１に関連付けられた第１一時領域Ｔ１が第１内容を含むかを確認する（ステップＳ２０２）。第１一時領域Ｔ１が内容を含まない場合（ステップＳ２０２：ＮＯ）、処理はステップＳ２０５へ進む。
【００３１】
第１一時領域Ｔ１が第１内容を含む場合（ステップＳ２０２：ＹＥＳ）、プロセッサー１２０は指定された入力範囲に関連付けられた一時領域に含まれる内容を読み出す。つまり、プロセッサー１２０は第１一時領域Ｔ１から第１内容を読み出し（ステップＳ２０３）、読み出した第１内容を送信して第３入力範囲４２１に表示する（ステップＳ２０４）。次のステップＳ２０５において、プロセッサーはまだ指定されていない入力範囲が存在するか確認する。まだ指定されていない入力範囲が存在する場合（ステップＳ２０５：ＹＥＳ）、プロセッサーはまだ指定されていない次の入力範囲を指定し（ステップＳ２０６）、処理はステップＳ２０２に戻る。すべての入力範囲が指定された場合（ステップＳ２０５：ＮＯ）、テンプレートチェック処理Ｓ２００は終了する。第３入力範囲４２１に挿入される第一内容を図８の画面画像に示す。
【００３２】
図５に戻り、ユーザーが第２医療レポートテンプレートＰ２の第４入力範囲４２２に第３内容を入力した場合、クライアント装置２１０は第４入力範囲４２２に第３内容を表示する（ステップＳ１１４）。図１０は第４入力範囲４２２に第３内容を表示した場合の第２医療レポートテンプレートＰ２の画面画像を示す。
【００３３】
図５に戻り、クライアント装置２１０のユーザーが第２医療レポートテンプレートＰ２の表示から第３医療レポートテンプレートＰ３の表示への切り替えを指示した場合（ステップＳ１１５）、クライアント装置２１０は第１内容及び第３内容を医療情報装置１００のプロセッサー１２０へ送信する（ステップＳ１１６）。プロセッサー１２０は、第２医療レポートテンプレートＰ２において、第３入力範囲４２１で第１内容、第４入力範囲４２２で第３内容を受け付けた場合、プロセッサー１２０は第１内容を記憶部３００の第１一時領域Ｔ１に記憶し（ステップＳ１１７）、第３内容を記憶部３００の第３一時領域Ｔ３に記憶する（ステップＳ１１８）。
【００３４】
プロセッサー１２０は参照記憶部３０２から第３医療レポートテンプレートＰ３を読み出し、第３医療レポートテンプレートＰ３を送信して、クライアント装置２１０の表示装置上で第２医療レポートテンプレートＰ２の表示から第３医療レポートテンプレートＰ３の表示へ切り替える（ステップＳ１２１）。クライアント装置２１０が第３医療レポートテンプレートＰ３を受信した場合、クライアント装置２１０は表示装置に第３医療レポートテンプレートＰ３を表示する（ステップＳ１２２）。
【００３５】
図１１は第３医療レポートテンプレートＰ３の画面画像を示す。上述のように、第３医療テンプレートＰ３は第２参照領域Ｒ２及び第３参照領域Ｒ３を含む。第３医療レポートテンプレートＰ２の第２参照領域Ｒ２は第２一時領域Ｔ２の関連付けられた第５入力範囲４３１を含みうる。第３医療テンプレートＰ３の第３参照領域Ｒ３は第３一時領域Ｔ３と関連付けられた第６入力範囲４３２を含みうる。第３医療レポートテンプレートＰ３を送信した後、医療情報装置１００のプロセッサー１２０はテンプレートチェック処理Ｓ２００を実行する。
【００３６】
図９に示すテンプレートチェック処理Ｓ２００は上述と同様であるため、重複した説明は省略する。テンプレートチェック処理Ｓ２００を実行した結果、図１１の画面画像に示すように、第５入力範囲４３１に第２内容が挿入され、第６入力範囲４３２に第３内容が挿入される。よって、ユーザーは直前に利用したテンプレートだけでなく直前に利用したテンプレートより前に利用した過去のテンプレートに含まれる内容を再利用できるので、より効率的に医療レポートを作成できる。
【００３７】
図５に戻り、クライアント装置２１０のユーザーが医療レポートの作成が完了したと指示した場合、第２内容及び第３内容がプロセッサー１２０に送信される（ステップＳ１２７）。プロセッサー１２０は第２内容や第３内容などの内容と参照領域３２０に記憶される情報とを組み合わせることで電子ファイルとして医療レポートを作成する。プロセッサー１２０はレポート領域３３０に医療レポートを記憶する（ステップＳ１２８）。最後に、プロセッサー１２０はいったん医療レポートが発行されると、第１一時領域Ｔ１、第２一時領域Ｔ２及び第３一時領域Ｔ３に記憶される残りの内容を削除する（ステップＳ１２９）。よって、医療情報装置１００によれば、ユーザーが古い内容を新規で関連性がない可能性のあるレポートで用いることを防ぐことができ、秘密情報のセキュリティーを保持することができる。
【００３８】
図１２はレポート領域３３０の例示的な構成を示す。レポート領域は項目Ｉ１及び項目Ｉ２等のような複数の項目を含む。複数の項目は表示される順番に配列されうる。項目Ｉ１は第２内容及び第２参照領域Ｒ２を記憶する領域を含む。項目Ｉ２は第３内容及び第３参照領域Ｒ３を記憶する領域を含む。レポート領域３３０はそれぞれの内容の参照領域を項目に属するグループとして有するため、プロセッサー１２０は参照領域により、内容を表示するか、当該内容をどのように表示するか等を判断する。各参照領域はその対応する内容に隣接して配置されるので、プロセッサー１２０はレポート領域３３０を上から又は下から一つの方向に読み出すことによって参照領域を認識しうる。
【００３９】
図１３は医療情報装置１００における修正されたテンプレートチェック処理Ｓ２５０のフローチャートを示す。図９に示すテンプレートチェック処理Ｓ２００と比較して、ステップＳ２０７が図９に示すテンプレートチェック処理Ｓ２００に追加されているだけであり、その他の行程はテンプレートチェック処理Ｓ２００と同様である。その他の行程について重複する説明は省略する。修正されたテンプレートチェック処理Ｓ２５０においては、すべての入力領域が指定されると（ステップＳ２０５：ＮＯ）、プロセッサー１２０はいずれの指定された入力領域と関連付けられていない一時領域に含まれる内容を削除する。
【００４０】
図１４は一以上の実施形態における、図１３に示す修正されたテンプレートチェック処理Ｓ２５０を用いた医療情報システム１のシーケンス図を示す。ほとんどの処理が図５に示すシーケンス図に示す処理と同様であるため、同様の処理に関する重複する説明は省略される。図１４に示すように、第２医療レポートテンプレートＰ２に関する修正されたテンプレートチェック処理Ｓ２５０では、第２一時領域Ｔ２が第２医療レポートテンプレートＰ２のいずれの入力領域と関連付けられていないと確認された場合、プロセッサー１２０は第２一時領域Ｔ２に含まれる第２内容を削除する（ステップＳ１５１）。
【００４１】
さらに、第３の医療レポートテンプレートＰ３が表示される場合に、テンプレートチェック処理Ｓ２５０を実行した結果、第６入力範囲４３２には第３内容のみが挿入される（Ｓ２０４）。第１一時領域Ｔ１は第３医療レポートテンプレートＰ３のいずれの入力範囲と関連付けられていないと確認された場合、プロセッサー１２０は第１一時領域Ｔ１に含まれる第１内容を削除する（ステップＳ１５２）。新しいテンプレートは直前のテンプレートより以前のテンプレートに記憶された古い情報を反映しないので、医療情報装置１００によりユーザーが古い内容や誤った内容を用いることを防ぐことができる。ユーザーは第３医療レポートテンプレートＰ３の第５入力範囲４３１に第２内容を入力する（ステップＳ１５３）。
【００４２】
図１５は医療情報装置１００の他の使用例を示す図である。図１に示す医療情報システム１において、医療情報装置１００のプロセッサー１２０はネットワーク１７０を介してクライアント装置２１０へ医療レポートテンプレート及び内容を送信する。しかし、医療情報装置１００のプロセッサー１２０は直接表示装置２０９へ医療レポートテンプレートを送信し、いずれの通信ネットワークを用いずに医療情報装置１００に内蔵されたメモリーから内容を受け付けるような、つまり単独での使用をすることができる。また、医療情報装置１００のプロセッサー１２０はキーボード、マウス、タッチパネル等の入力装置２０８から内容を受け取ることができる。図１５に示す構成によっても同様の有益な効果が得られる。内容記憶部３０１はフラッシュメモリーや医療情報装置１００に内蔵されるハードディスク等の不揮発性メモリーに存在しうる。また、内容記憶部３０１はＲＡＭ等の揮発性メモリーに存在しうる。
【００４３】
本発明の一以上の実施形態によればコンピューターの機能性に対する以下のような技術的改良がもたらされる。本発明の一以上の実施形態によれば、医療レポートテンプレートを何度も切り替えても入力された内容を保存することができる。よって、すでにユーザーにより入力された内容が失われないため、ユーザーは簡単により適切な医療レポートテンプレートに切り替えることができる。よって、医療情報装置１００によりユーザーがより適切な医療レポートを作成することを補助することができる。また、このようなデータを一以上の実施形態における参照領域３２０の医療コード、説明、及びその他のデータとして記憶することによって医療情報装置１００に新たな医療レポートテンプレートを導入することを容易にする。新たな医療レポートが導入された場合、参照領域３２０に記憶される情報を用いることにより、医療情報装置１００は容易に新たな医療レポートテンプレートの入力範囲を既存の一時領域と関連付けることができる。よって、本発明の一以上の実施形態が容易に新たな医療レポートテンプレートを受け入れることができるので、本発明の一以上の実施形態により、ユーザーがより適切な医療レポートを作成することを補助することができる。さらに、本発明の一以上の実施形態によれば、医療レポートがいったん発行された場合、一時領域に含まれるすべての内容を削除することができるので、より確実に内容を削除することができる。よって、個人情報が確実に守られる。
【００４４】
本発明のいくつかの実施形態が、上記において説明されたが、本明細書により、当業者は本発明の範囲から逸脱することなく、本発明のその他の実施形態を考案しうる。よって、本発明の範囲は添付されたクレームのみによって限定される。
【図１】
2020115326.tif 000003
【図２】
2020115326.tif 000004
【図３】
2020115326.tif 000005
【図４】
2020115326.tif 000006
【図５】
2020115326.tif 000007
【図６】
2020115326.tif 000008
【図７】
2020115326.tif 000009
【図８】
2020115326.tif 000010
【図９】
2020115326.tif 000011
【図１０】
2020115326.tif 000012
【図１１】
2020115326.tif 000013
【図１２】
2020115326.tif 000014
【図１３】
2020115326.tif 000015
【図１４】
2020115326.tif 000016
【図１５】
2020115326.tif 000017
【外国語明細書】
2020115326000001.pdf
2020115326000002.pdf
2020115326000003.pdf
2020115326000004.pdf